(57)【要約】【課題】正面カバーと背面カバーとの係合を解除するために、正面カバーを背面カバーに対して装置本体の上方向に移動させる際に、ストロボ装置の光透過窓部材が正面カバーの動きに追従して移動する仕組みを提供する。【解決手段】撮像装置は、発光管２８、発光管２８が発光した光を透過させる光透過窓部材２１、並びに発光管２８及び光透過窓部材２１を保持するホルダ２２を有するストロボ装置を備え、正面カバー３と背面カバー４とを係合することで、装置本体の外装を形成する。そして、正面カバー３と背面カバー４との係合は、背面カバー４を装置本体に固定した状態で、正面カバー３を装置本体の上方向に移動させることで解除される。ホルダ２２は、正面カバー３を装置本体の上方向に移動させたとき、正面カバー３のストロボ窓開口部３２に光軸方向に嵌め込まれた光透過窓部材２１により装置本体の上方向に押されて弾性変形する弾性部２２１によって光透過窓部材２１を保持する。【選択図】図６
2012159606.tif 000002
【特許請求の範囲】
【請求項１】
発光管、前記発光管が発光した光を透過させる光透過窓部材、並びに前記発光管、及び前記光透過窓部材を保持するストロボホルダを有するストロボ装置を備え、
正面カバーと背面カバーとを係合することで装置本体の外装を形成するとともに、前記光透過窓部材が前記正面カバーに形成されたストロボ窓開口部に光軸方向に嵌め込まれる撮像装置であって、
前記正面カバーと前記背面カバーとの係合は、前記正面カバーを前記装置本体の上方向に移動させることにより解除され、
前記ストロボホルダは、前記正面カバーを前記装置本体の上方向に移動させたとき、前記ストロボ窓開口部に光軸方向に嵌め込まれた前記光透過窓部材により前記装置本体の上方向に押されて弾性変形する弾性部によって前記光透過窓部材を保持することを特徴とする撮像装置。
【請求項２】
前記弾性部は、前記光透過窓部材の光軸方向の位置を規制する規制部を有することを特徴とする請求項１に記載の撮像装置。
【請求項３】
前記弾性部は、前記発光管の軸方向の端部に設けられた端子部の下側に配置されることを特徴とする請求項１又は２に記載の撮像装置。
【請求項４】
前記正面カバーに前記装置本体の上面部の外装を一体に形成して、前記背面カバーに対する前記正面カバーの光軸方向の移動が規制されるように、前記装置本体の上面部で前記正面カバーと前記背面カバーとを係合することを特徴とする請求項１乃至３のいずれか一項に記載の撮像装置。
【請求項５】
前記光透過窓部材は、前記ストロボホルダに形成された平面部と前記弾性部とによって前記装置本体の上下方向に挟持されるリブを有することを特徴とする請求項１乃至４のいずれか一項に記載の撮像装置。
【発明の詳細な説明】
【技術分野】
【０００１】
本発明は、ストロボ装置を備えるデジタルカメラ等の撮像装置に関する。
【背景技術】
【０００２】
デジタルカメラ等の撮像装置では、正面カバーと背面カバーとを係合することで、カメラ本体の全体の外装を形成するものがある。この場合、カメラ本体の上面部の外装を正面カバー又は背面カバーに一体に形成して、カメラ本体の上面部で正面カバーと背面カバーとを係合することで、カメラ本体の全体の外装を形成して上面部の外装にビス等が露出しないようにしている。
【０００３】
このような撮像装置としては、例えば、正面カバーの上部にシャッタボタンのボタン座を取り付けるための取付孔を形成し、この取付孔に対して、背面カバーに設けられたカメラ本体の上方向に突出した爪が係合されたものが開示されている（特許文献１）。
【先行技術文献】
【特許文献】
【０００４】
【特許文献１】特開２００３−１５１９９号公報
【発明の概要】
【発明が解決しようとする課題】
【０００５】
ところで、上記従来の技術では、分解作業等のため、正面カバーと背面カバーとのカメラ本体の上面部での係合を解除する際に、いずれかのカバーをカメラ本体の上下方向に移動させる必要がある。
【０００６】
この場合、正面カバーをカメラ本体に固定して、背面カバーを正面カバーに対してカメラ本体の下方向に移動させると、背面カバーには液晶ディスプレイや操作ボタン等の電気部品が嵌合されているため、電気的接続を切断してしまう可能性がある。
【０００７】
従って、背面カバーをカメラ本体に固定し、正面カバーを背面カバーに対してカメラ本体の上方向に移動させることが好ましい。
【０００８】
しかし、ストロボ装置を内蔵したデジタルカメラ等では、プリズムパネル等の光透過部材が正面カバーに形成されたストロボ窓開口部に嵌め込まれている。このため、正面カバーを背面カバーに対してカメラ本体の上方向に移動させる際に、光透過窓部材に正面カバーのストロボ窓開口部が引っかかって移動が阻害され、正面カバーと背面カバーとの係合を解除することが困難となる。
【０００９】
そこで、本発明は、正面カバーと背面カバーとの係合を解除するために、正面カバーを背面カバーに対して装置本体の上方向に移動させる際に、ストロボ装置の光透過窓部材が正面カバーの動きに追従して移動する仕組みを提供することを目的とする。
【課題を解決するための手段】
【００１０】
上記目的を達成するために、本発明の撮像装置は、発光管、前記発光管が発光した光を透過させる光透過窓部材、並びに前記発光管、及び前記光透過窓部材を保持するストロボホルダを有するストロボ装置を備え、正面カバーと背面カバーとを係合することで、装置本体の外装を形成するとともに、前記光透過窓部材が前記正面カバーに形成されたストロボ窓開口部に光軸方向に嵌め込まれる撮像装置であって、前記正面カバーと前記背面カバーとの係合は、前記正面カバーを前記装置本体の上方向に移動させることにより解除され、前記ストロボホルダは、前記正面カバーを前記装置本体の上方向に移動させたとき、前記ストロボ窓開口部に光軸方向に嵌め込まれた前記光透過窓部材により前記装置本体の上方向に押されて弾性変形する弾性部によって前記光透過窓部材を保持することを特徴とする。
【発明の効果】
【００１１】
本発明によれば、正面カバーと背面カバーとの係合を解除するために、正面カバーを背面カバーに対して装置本体の上方向に移動させる際に、ストロボ装置の光透過窓部材が正面カバーの動きに追従して同方向に移動する。これにより、正面カバーと背面カバーとの係合を容易に解除することができる。
【図面の簡単な説明】
【００１２】
【図１】（ａ）は本発明の撮像装置の第１の実施形態であるデジタルカメラを正面側（被写体側）から見た斜視図、（ｂ）は（ａ）に示すデジタルカメラの正面カバー及び背面カバーを取り外した状態を示す斜視図である。
【図２】（ａ）は図１（ｂ）のＡ部拡大斜視図、（ｂ）は図１（ｂ）のＢ部拡大斜視図、（ｃ）は正面カバーの係合孔を背面カバーの係合突起に嵌め込んだ状態を示す斜視図である。
【図３】（ａ）はストロボ装置をカメラ本体の正面側から見た斜視図、（ｂ）は（ａ）に示すストロボ装置の分解斜視図である。
【図４】（ａ）はストロボホルダの要部を示す斜視図、（ｂ）は（ａ）示すストロボホルダを矢印Ｄ方向から見た斜視図である。
【図５】図３（ｂ）の矢印Ｃ方向から見たプリズムパネルの斜視図である。
【図６】（ａ）は正面カバーと背面カバーとがカメラ本体の上面部で係合した状態でのプリズムパネルを正面側から見た図、（ｂ）は（ａ）のＥ−Ｅ線断面図である。
【図７】（ａ）はカメラ本体に固定された背面カバーに対して、正面カバーをカメラ本体の上方向に移動させた状態でのプリズムパネルを正面側から見た図、（ｂ）は（ａ）のＦ−Ｆ線断面図である。
【図８】図６（ａ）のＧ−Ｇ線断面図である。
【図９】（ａ）は本発明の撮像装置の第２の実施形態であるデジタルカメラにおいて、ストロボホルダにプリズムパネルが組み込まれた状態を示す側面図、（ｂ）は（ａ）の断面図である。
【発明を実施するための形態】
【００１３】
以下、本発明の実施形態を図面を参照して説明する。
【００１４】
（第１の実施形態）
図１（ａ）は本発明の撮像装置の第１の実施形態であるデジタルカメラを正面側（被写体側）から見た斜視図、図１（ｂ）は図１（ａ）に示すデジタルカメラの正面カバー及び背面カバーを取り外した状態を示す斜視図である。
【００１５】
本実施形態のデジタルカメラは、図１（ａ）及び図１（ｂ）に示すように、カメラ本体１の正面側にズーム式のレンズ鏡筒１Ａが設けられ、カメラ本体１の背面側には、不図示の液晶ディスプレイや操作ボタン群が設けられている。
【００１６】
ここで、本実施形態では、カメラ本体１の上面部の外装を正面カバー３に一体に形成し、背面カバー４をカメラ本体１に不図示のビス等で固定した状態で、カメラ本体１の上面部で正面カバー３と背面カバー４とを係合する。そうすることで、背面カバー４に対する正面カバー３の光軸方向の移動が規制される。その後、正面カバー３と背面カバー４の両側部をビスで共締めする。これにより、カメラ本体１の全体の外装を形成して、上面部の外装にビス等が露出しないようにしている。
【００１７】
また、カメラ本体１には、ストロボ装置２が内蔵されており、ストロボ装置２のプリズムパネル２１は、正面カバー３に形成されたストロボ窓開口部３２に光軸方向に嵌め込まれている。ここで、カメラ本体１は、本発明の装置本体の一例に相当し、プリズムパネル２１は、本発明の光透過窓部材の一例に相当する。
【００１８】
図２（ａ）は図１（ｂ）のＡ部拡大斜視図、図２（ｂ）は図１（ｂ）のＢ部拡大斜視図である。
【００１９】
図２（ａ）に示すように、カメラ本体１を正面側から見て、正面カバー３の右上部には、係合部材３１が取り付けられている。係合部材３１は、正面カバー３の上面部内面にスポット溶接等で固定される固定部３１ｂと、固定部３１ｂから背面カバー４側に向けて延びる係合片３１ａとを備えている。係合片３１ａには、カメラ本体１の上下方向に貫通する係合孔３１１が形成されている。
【００２０】
また、図２（ｂ）に示すように、カメラ本体１を正面側から見て、背面カバー４の右上部には、係合部材４１が係合部材３１に対応して取り付けられている。係合部材４１は、背面カバー４にスポット溶接等で固定される固定部４１ｂと、固定部４１ｂから正面カバー３側に向けて延びる係合片４１ａとを備えている。係合片４１ａには、カメラ本体１の上方向に突出する係合突起４１１が形成されている。
【００２１】
そして、図２（ｃ）に示すように、正面カバー３の係合孔３１１を背面カバー４の係合突起４１１にカメラ本体１の上方から下方に向けて嵌め込むことで、カメラ本体１の上面部で正面カバー３と背面カバー４とが係合する。
【００２２】
ここで、正面カバー３と背面カバー４とのカメラ本体１の上面部での係合を解除する場合は、カメラ本体１に固定された背面カバー４に対して、正面カバー３をカメラ本体１の上方向に移動させて係合突起４１１から係合孔３１１を離脱させることになる。
【００２３】
図３（ａ）はストロボ装置２をカメラ本体１の正面側から見た斜視図、図３（ｂ）は図３（ａ）に示すストロボ装置２の分解斜視図である。
【００２４】
図３（ｂ）に示すように、ストロボ装置２は、メインコンデンサ２４、ストロボホルダ２２、キセノン管２８、トリガー基板２６、反射傘２７、プリズムパネル２１、ストロボ基板２５、及びストロボカバー２３を備える。
【００２５】
メインコンデンサ２４は、発光するための電荷を蓄積するもので、両面テープ等でストロボホルダ２２の背面側に固定されている。ストロボ基板２５は、ビス等でストロボホルダ２２の正面側に固定されている。
【００２６】
ストロボ基板２５には、発光開始・停止やメインコンデンサ２４への充電を制御する回路素子が実装されている。トリガー基板２６は、両面テープ等でストロボホルダ２２の上面に固定されている。トリガー基板２６には、キセノン管２８へトリガー電圧を印加するための回路が実装されている。
【００２７】
反射傘２７は、キセノン管２８で発光した光を反射し、プリズムパネル２１へ集光させる。また、トリガー基板２６で発生させたトリガー電圧は、不図示のリード線から反射傘２７を介してキセノン管２８へ供給される。このため、反射傘２７は、表面反射率が高く、かつ、電気抵抗の低いアルミニウム板等を加工して用いる。
【００２８】
キセノン管２８は、軸方向の長さが径方向の長さよりも長い円筒形状のガラス管にキセノンガスを封入した発光管である。キセノン管２８は、長手方向の両端部にそれぞれ陽極と陰極の端子部２８ｂを具備し、軸方向の中央部には、導電性皮膜（ネサコート）を施されたネサコート部２８ａが設けられている。
【００２９】
なお、ネサコート部２８ａと陽極及び陰極の端子部２８ｂとは、互いに絶縁されているが、ネサコート部２８ａに数千ボルトのトリガー電圧を加えたときの絶縁を確実にするため、ネサコート部２８ａと各端子部２８ｂとの間に一対の絶縁ゴム２９を設けている。
【００３０】
プリズムパネル２１は、キセノン管２８から照射された光と反射傘２７によって反射された光とを透過させて所望の範囲に集光する。ストロボカバー２３は、トリガー基板２６や反射傘２７から周囲のカバーへの放電を防ぐために設けられており、爪２３ａがストロボホルダ２２の不図示の爪に係合される。
【００３１】
図４（ａ）はストロボホルダ２２の要部を示す斜視図、図４（ｂ）は図４（ａ）に示すストロボホルダ２２を矢印Ｄ方向から見た斜視図、図５は図３（ｂ）の矢印Ｃ方向から見たプリズムパネル２１の斜視図である。
【００３２】
図４（ａ）及び図４（ｂ）に示すように、ストロボホルダ２２には、プリズムパネル２１側に向けて延びる一対の弾性腕２２１，２２４がキセノン管２８の軸方向に互いに離間して設けられている。ここで、弾性腕２２１，２２４は、本発明の弾性部の一例に相当する。
【００３３】
弾性腕２２１には、下方に突出する係合爪２２１ａが設けられ、ストロボホルダ２２の弾性腕２２４の背面側には、カメラ本体１を正面側から見て右側に突出する係合爪２２２ａが設けられている。また、ストロボホルダ２２の一対の弾性腕２２１，２２４の間には、光軸と略直交する平面を持つ平面部２２３がキセノン管２８の軸方向に互いに離間して設けられている。ここで、係合爪２２１ａは、本発明の規制部の一例に相当する。
【００３４】
図５に示すように、プリズムパネル２１には、ストロボホルダ２２の係合爪２２１ａ，２２２ａに係合する係合孔２１１，２１２が設けられている。また、プリズムパネル２１には、光軸と略直交する平面を持つ平面部２１３がストロボホルダ２２の平面部２２３に対応して設けられている。
【００３５】
そして、プリズムパネル２１の平面部２１３をストロボホルダ２２の平面部２２３に突き当てた状態で、係合孔２１１，２１２をストロボホルダ２２の係合爪２２１ａ，２２２ａに嵌め込む。これにより、ストロボホルダ２２に対するプリズムパネル２１の光軸方向の位置が規制される。
【００３６】
また、プリズムパネル２１には、ストロボホルダ２２の平面部２２５と弾性腕２２１とによってカメラ本体１の上下方向に挟持されるリブ２１６が設けられており、リブ２１６には、上述した係合孔２１１がカメラ本体１の上下方向に貫通して形成されている。更に、プリズムパネル２１には、ストロボホルダ２２の平面部２２５と弾性腕２２４とによってカメラ本体１の上下方向に挟持されるリブ２１５が設けられている。
【００３７】
プリズムパネル２１は、リブ２１６，２１５がストロボホルダ２２の平面部２２５と弾性腕２２１，２２４とによって挟持されることで、ストロボホルダ２２に対するカメラ本体１の上下方向の位置が規制された状態でストロボホルダ２２に保持される。
【００３８】
このようにして、弾性腕２２１は、プリズムパネル２１の、光軸方向の位置規制とカメラ本体１の上下方向の位置規制を行う。このため、プリズムパネル２１の、光軸方向の位置規制とカメラ本体１の上下方向の位置規制を行う部材を別々に設ける必要がなくなり、デジタルカメラの小型化に繋がる。
【００３９】
また、プリズムパネル２１の、カメラ本体１の上下方向の位置規制をキセノン管２８の下側に配置されるリブ２１５，２１６をストロボホルダ２２の平面部２２５と弾性腕２２１，２２４とによって挟持して行う。このため、プリズムパネル２１の上面などにカメラ本体１の上下方向の位置規制を行うための部材を設けるスペースが不要となり、デジタルカメラの小型化に繋がる。
【００４０】
更に、プリズムパネル２１には、光軸と略直交する平面を持つ一対の平面部２１４が設けられている。
【００４１】
一対の平面部２１４は、それぞれリブ２１５，２１６上に配置されており、反射傘２７の背面が平面部２２３に当接し、絶縁ゴム２９が平面部２１４に圧接することで、キセノン管２８のネサコート部２８ａと反射傘２７とが圧接して電気的に導通する。
【００４２】
反射傘２７は、トリガー基板２６と不図示のリード線により接続されているので、結果として、トリガー基板２６とキセノン管２８とは電気的に接続される。
【００４３】
図６（ａ）は正面カバー３と背面カバー４とがカメラ本体１の上面部で係合した状態でのプリズムパネル２１を正面側から見た図、図６（ｂ）は図６（ａ）のＥ−Ｅ線断面図である。
【００４４】
図７（ａ）は、正面カバー３と背面カバー４とのカメラ本体１の上面部での係合を解除するために、カメラ本体１に固定された背面カバー４に対して、正面カバー３をカメラ本体１の上方向に移動させた状態でのプリズムパネル２１を正面側から見た図である。図７（ｂ）は、図７（ａ）のＦ−Ｆ線断面図である。
【００４５】
図６の状態から正面カバー３をカメラ本体１の上方向に移動させると、正面カバー３のストロボ窓開口部３２に嵌め込まれたプリズムパネル２１のリブ２１６，２１５によりストロボホルダ２２の弾性腕２２１，２２４が上方に押されて弾性変形する（図７参照）。これにより、プリズムパネル２１が正面カバー３のストロボ窓開口部３２に追従してカメラ本体１の上方向に移動可能となる。
【００４６】
また、プリズムパネル２１がカメラ本体１の上方向に所定量移動すると、プリズムパネル２１のストッパ部２１８がストロボホルダ２２のリブ２２６に突き当たり、所定量以上の移動が規制される。これにより、ストロボホルダ２２の弾性腕２２１，２２４の破損等を防ぐことができる。
【００４７】
図８は、図６（ａ）のＧ−Ｇ線断面図である。図８に示すように、弾性腕２２１，２２４は、キセノン管２８の端子部２８ｂの下側に形成されており、これにより、弾性腕２２１，２２４をカメラ本体１の正面側に突出させて配置することが可能になる。
【００４８】
このため、プリズムパネル２１のリブ２１５，２１６とストロボホルダ２２の弾性腕２２４，２２１との接触範囲が広くなり、プリズムパネル２１のカメラ本体１の上下方向の位置規制がより確実なものとなる。
【００４９】
以上説明したように、本実施形態では、正面カバー３を背面カバー４に対してカメラ本体１の上方向に移動させる際に、ストロボ装置２のプリズムパネル２１が正面カバー３の動きに追従して同方向に移動する。これにより、正面カバー３と背面カバー４とのカメラ本体１の上面部での係合を容易に解除することができる。
【００５０】
（第２の実施形態）
次に、図９を参照して、本発明の撮像装置の第２の実施形態であるデジタルカメラについて説明する。なお、上記第１の実施形態と重複する部分については、その説明を省略し、相違する部分についてのみ説明する。
【００５１】
図９（ａ）はストロボホルダ２２にプリズムパネル２１が組み込まれた状態を示す側面図、図９（ｂ）は図９（ａ）の断面図である。
【００５２】
本実施形態では、図９に示すように、ストロボホルダ２２において、上記第１の実施形態の弾性腕２２１に相当する弾性腕３０１は、キセノン管２８の端子部２８ｂの下部まで突出していない。そして、弾性腕３０１と平面部２２５とによってリブ２１６を挟持して、プリズムパネル２１のカメラ本体１の上下方向の位置規制を行う。
【００５３】
これにより、設計上、キセノン管２８の位置がリブ２１６側（底面側）に寄り、弾性腕２２１のように突出するスペースがない場合も、プリズムパネル２１の位置規制が可能となる。その他の構成、及び作用効果は、上記第１の実施形態と同様である。
【００５４】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５５】
１  カメラ本体
２  ストロボ装置
３  正面カバー
４  背面カバー
２１  プリズムパネル
２２  ストロボホルダ
２８  キセノン管
３２  ストロボ窓開口部
２２１  弾性腕
２２４  弾性腕
【図１】
2012159606.tif 000003
【図２】
2012159606.tif 000004
【図３】
2012159606.tif 000005
【図４】
2012159606.tif 000006
【図５】
2012159606.tif 000007
【図６】
2012159606.tif 000008
【図７】
2012159606.tif 000009
【図８】
2012159606.tif 000010
【図９】
2012159606.tif 000011